(57)【要約】【課題】アプリケーションソフトウェアの拡張機能の設定作業を容易化する。【解決手段】文書ファイルに対して実行する各種機能モジュールを備える文書ファイル管理装置に対するアプリケーションソフトウェアのインストールに際して（ステップＳ１）、アプリケーションソフトウェアのインストールに併せて、該アプリケーションソフトウェアに対応付けた一以上の機能モジュールを選択的に設定するようにした（Ｓ２，Ｓ３，Ｓ４）。これにより、従来のように、アプリケーションソフトウェアをインストールした後に拡張機能設定を行なう場合と比較して、インストールしたアプリケーションソフトウェアの拡張機能の設定作業を容易化することができる。【選択図】　　図３
2004145777.tif 000002
【特許請求の範囲】
【請求項１】
文書ファイルに対して実行する各種機能モジュールがインストールされた文書ファイル管理装置が備えるコンピュータにインストールされ、このコンピュータに、
アプリケーションソフトウェアをインストールするインストール機能と、
前記アプリケーションソフトウェアのインストールに際して、前記機能モジュール群から一以上の前記機能モジュールを選択させる選択機能と、
選択された一以上の前記機能モジュールをインストールする前記アプリケーションソフトウェアに対応付けて設定するモジュール設定機能と、
を実行させる機能拡張プログラム。
【請求項２】
前記選択機能により選択される前記機能モジュールは、少なくとも、文書ファイルを入力する入力機能を実現する入力機能モジュールと、アプリケーションソフトウェアで管理する文書ファイルを外部に出力する出力機能を実現する出力機能モジュールと、アプリケーションソフトウェアで管理する文書ファイルを変換してアプリケーションソフトウェアに入力する変換入力機能を実現する変換入力機能モジュールと、アプリケーションソフトウェアで管理するまたはネットワークでつながれたファイルサーバ上にある文書ファイルを管理する管理機能を実現する管理機能モジュールと、該管理している文書ファイルを編集する編集機能を実現する編集機能モジュールと、前記各機能モジュールを判別する判別機能を実現する判別機能モジュールと、から選択される一以上の前記機能モジュールである請求項１記載の機能拡張プログラム。
【請求項３】
前記アプリケーションソフトウェアの起動に際して、該アプリケーションソフトウェアに対応付けられる前記機能モジュールを前記機能モジュール単位で追加／削除する変更機能を前記コンピュータに実行させる請求項１または２記載の機能拡張プログラム。
【請求項４】
前記機能モジュールを目的別に分類した分類パターンを管理する分類機能を前記コンピュータに実行させ、
前記選択機能は、前記分類パターンを選択することにより一以上の機能モジュールを選択する請求項１、２または３記載の機能拡張プログラム。
【請求項５】
コンピュータ読み取り可能であって、請求項１ないし４のいずれか一に記載の機能拡張プログラムを記憶する記憶媒体。
【発明の詳細な説明】
【０００１】
【発明の属する技術分野】
本発明は、機能拡張プログラムおよび記憶媒体に関する。
【０００２】
【従来の技術】
例えば、入力された文書ファイルをアプリケーションソフトウェア毎に管理し、この文書ファイルをアプリケーションソフトウェアのフォーマットに応じて変換したり、編集したり、外部に出力したりするアプリケーションソフトウェアがインストールされた文書ファイル管理装置がある。
【０００３】
このような文書ファイル管理装置にインストールされるアプリケーションソフトウェアには、文書ファイル管理装置が有する機能を拡張設定することを可能とするものがあり、従来は、まず、アプリケーションソフトウェアをインストールし、その後、このアプリケーションソフトウェアの機能設定箇所から拡張機能の設定を行なっている。
【０００４】
また、例えば、文書ファイル管理装置における文書ファイルを取り扱い易くするために、予め定義された機能に当てはまる外部機能提供モジュールを取り込むようにした文書ファイル管理装置がある（例えば、特許文献１参照）。これにより新規の機能を容易に追加することができる。
【０００５】
さらに、例えば、情報処理装置に接続することで、この情報処理装置に対して専用ソフトウェアを自動的にインストールして、情報処理装置の機能を拡張する機能拡張装置がある（例えば、特許文献２参照）。
【０００６】
【特許文献１】
特開２００１−２２９１５７公報
【特許文献２】
特開平８−１６１２５２号公報
【０００７】
【発明が解決しようとする課題】
しかし、上述したように、アプリケーションソフトウェアをインストールし、その後、該アプリケーションソフトウェアにおける機能設定箇所から拡張機能の設定を行なう方法では、拡張機能設定のための作業が煩わしい。
【０００８】
また、上述した特許文献１に記載された技術では、ケーパビリディデータにおける各フラグを操作しなくてはならない。
【０００９】
さらに、上述した特許文献２に記載された技術では、インストールしたい専用ソフトウェアを有する機能拡張装置を情報処理装置に接続しなくてはならない。
【００１０】
本発明の目的は、アプリケーションソフトウェアの拡張機能の設定作業を容易化することである。
【００１１】
【課題を解決するための手段】
請求項１記載の発明の機能拡張プログラムは、文書ファイルに対して実行する各種機能モジュールがインストールされた文書ファイル管理装置が備えるコンピュータにインストールされ、アプリケーションソフトウェアをインストールするインストール機能と、前記アプリケーションソフトウェアのインストールに際して、前記機能モジュール群から一以上の前記機能モジュールを選択させる選択機能と、選択された一以上の前記機能モジュールをインストールする前記アプリケーションソフトウェアに対応付けて設定するモジュール設定機能と、を実行させる。
【００１２】
したがって、アプリケーションソフトウェアのインストールに際しては、アプリケーションソフトウェアのインストールに併せて、該アプリケーションソフトウェアに対応付けた一以上の機能モジュールを選択的に設定することができる。
【００１３】
請求項２記載の発明は、請求項１記載の機能拡張プログラムにおいて、前記選択機能により選択される前記機能モジュールは、少なくとも、文書ファイルを入力する入力機能を実現する入力機能モジュールと、アプリケーションソフトウェアで管理する文書ファイルを外部に出力する出力機能を実現する出力機能モジュールと、アプリケーションソフトウェアで管理する文書ファイルを変換してアプリケーションソフトウェアに入力する変換入力機能を実現する変換入力機能モジュールと、アプリケーションソフトウェアで管理するまたはネットワークでつながれたファイルサーバ上にある文書ファイルを管理する管理機能を実現する管理機能モジュールと、該管理している文書ファイルを編集する編集機能を実現する編集機能モジュールと、前記各機能モジュールを判別する判別機能を実現する判別機能モジュールと、から選択される一以上の前記機能モジュールである。
【００１４】
したがって、少なくとも、入力機能モジュール、出力機能モジュール、変換入力機能モジュール、管理機能モジュール、編集機能モジュール、判別機能モジュールから該アプリケーションソフトウェアに対応付けた一以上の機能モジュールを選択的に設定することができる。
【００１５】
請求項３記載の発明は、請求項１または２記載の機能拡張プログラムにおいて、前記アプリケーションソフトウェアの起動に際して、該アプリケーションソフトウェアに対応付けられる前記機能モジュールを前記機能モジュール単位で追加／削除する変更機能を前記コンピュータに実行させる。
【００１６】
したがって、アプリケーションソフトウェアを起動する毎に、該アプリケーションソフトウェアに対応付けられる機能モジュールを追加／削除することができる。
【００１７】
請求項４記載の発明は、請求項１、２または３記載の機能拡張プログラムにおいて、前記機能モジュールを目的別に分類した分類パターンを管理する分類機能を前記コンピュータに実行させ、前記選択機能は、前記分類パターンを選択することにより一以上の機能モジュールを選択する。
【００１８】
したがって、機能モジュールを分類パターン単位で設定することができる。
【００１９】
請求項５記載の発明の記憶媒体は、コンピュータ読み取り可能であって、請求項１ないし４のいずれか一に記載の機能拡張プログラムを記憶する。
【００２０】
したがって、請求項１、２または３記載の発明の作用を得ることができる。
【００２１】
【発明の実施の形態】
本発明の第１の実施の形態について図１ないし図４を参照して説明する。本実施の形態では、文書ファイル管理装置として、機能拡張プログラムを記憶するパーソナルコンピュータへの適用例を示す。
【００２２】
図１は、本実施の形態のパーソナルコンピュータを概略的に説明するブロック図である。パーソナルコンピュータ（以降、ＰＣという）１は、各種演算を行ないＰＣ１が備える各部を駆動制御するコンピュータとしての制御部２を備えている。制御部２は、ＰＣ１が備える各部を駆動制御するＣＰＵ３、ＢＩＯＳおよびその他の制御プログラムを記憶するＲＯＭ４、可変的なデータを書き換え自在に記憶しＣＰＵのワークエリアとして機能するＲＡＭ５、および、ＨＤＤ６等の外部記憶装置等をバスライン７を介して接続することにより構成されている。
【００２３】
ＨＤＤ６には、ＯＳの他、後述する機能拡張処理を実行する機能拡張プログラムが格納されている。この機能拡張プログラムは、ＣＤ−ＲＯＭ等の可搬性を有するメディア１８に記憶されていた機能拡張プログラムを、バスライン７に接続された媒体読取装置１７によって読み取ることによりＨＤＤ６に記憶されている。このため、本実施の形態では、可搬性を有するメディア１８によって記憶媒体が実現されている。
【００２４】
なお、本実施の形態では、可搬性を有するメディア１８としてＣＤ−ＲＯＭを例示したが、これに限るものではなく、機能拡張プログラムを記憶するフレキシブルディスクやＭＯ等によって記憶媒体を実現するようにしてもよい。ただし、フレキシブルディスクやＭＯ等の可搬性を有するメディアを記憶媒体とする場合、フレキシブルディスクやＭＯ等に記憶された機能拡張プログラムの読み取りが可能な媒体読取装置１７を設ける。
【００２５】
また、ＨＤＤ６に記憶される機能拡張プログラムは、ＣＤ−ＲＯＭ等の可搬性を有するメディア１８から読み取ったものに限るものではなく、例えば、インターネットを介して、図示しない外部装置からダウンロードしたものであってもよい。
【００２６】
バスライン７には、例えば、キーボードやマウス等の情報入力装置８や、ＬＣＤ等の表示装置９に加えて、インターフェイス１０，１１，１２が接続されている。
【００２７】
ＰＣ１には、これらのインターフェイス１０，１１を介して、スキャナ装置１３、プリンタ装置１４等が接続されている。また、ＰＣ１は、インターフェイス１２を介してネットワーク１５に接続されており、このネットワーク１５を介してファイルサーバ１６に接続されている。特に図示しないが、ファイルサーバ１６には、各種アプリケーションソフトウェアのフォーマットにしたがって変換された各種文書ファイルが格納されている。
【００２８】
図２は、ＰＣ１内部の機能モジュールについて示す説明図である。ＰＣ１の内部には、入力機能、出力機能、変換入力機能、管理機能、判別機能のような機能毎に分類されて、実行されることにより各種機能を実現する入力機能モジュール２０、出力機能モジュール２１、編集機能モジュールとしての変換入力機能モジュール２２、接続設定機能モジュール２３、ツール機能モジュール２４、および、各機能モジュール２０〜２４を判別する判別機能を実現する図示しない判別機能モジュールが格納されている。
【００２９】
ここで、機能モジュールとは、目的とする機能を実現するためのプログラムである。この機能モジュールは、目的とする機能を実現するためのプログラムに加えて、このプログラムの実行に必要なインターフェイスを組み合せて構成してもよい。
【００３０】
このような機能モジュールの実行により実現される機能のうち、入力機能は、インターフェイスを介して、スキャナ装置１３等の外部装置から提供される文書ファイルを入力する機能である。この入力機能を実現する入力機能モジュール２０としては、例えば、スキャン、イージースキャン等がある。出力機能は、アプリケーションソフトウェアで管理する文書ファイルを、インターフェイスを介して、プリンタ装置１４等の外部装置に出力する機能である。この出力機能を実現する出力機能モジュール２１としては、印刷、イージー印刷等がある。変換入力機能は、アプリケーションソフトウェアで管理する文書ファイルをこのアプリケーションソフトウェアのフォーマットに変換して該アプリケーションソフトウェアに入力する機能である。この変換入力機能を実現する変換入力機能モジュール２２としては、例えば、画像変換、ＯＣＲ変換、ＰＤＦ変換等がある。接続設定機能は、インターフェイス１０，１１，１２を介してＰＣ１に接続される外部装置に対する接続状態を設定する機能である。また、ツール機能は、特定の作業をするために専用の道具として機能し、例えば、文書ファイル中の文章にアンダーラインを引いたり、文書ファイル中の特定領域を選択したりする。判別機能は、上述した各機能モジュールを判別する機能であり、例えば、情報入力装置８において、入力プラグインに対する操作がなされると入力機能モジュールを実行して入力機能を実現し、出力プラグインに対する操作がなされると出力機能モジュールを実行して出力機能を実現する。
【００３１】
加えて、ＰＣ１の内部には、アプリケーションソフトウェアで管理する文書ファイルやインターフェイスを介してネットワーク１５でつながれたファイルサーバ１６上にある文書ファイルを管理する管理機能を実現する図示しない管理機能モジュールが格納されている。
【００３２】
これらの機能モジュール群は、ＰＣ１の内部に格納された機能設定格納モジュール２５によって、アプリケーションソフトウェア毎に対応付けられた状態で格納されている。各アプリケーションソフトウェアに対する機能モジュールの対応付け関係は、ＰＣ１の内部に格納された管理モジュール２６によって、機能モジュール単位で追加／削除することが可能となっている。
【００３３】
次に、ＰＣ１に対するアプリケーションソフトウェアのインストールに際して、ＣＰＵ３が行なう動作について図３および図４を参照して説明する。例えば、ネットワーク１５を介して図示しない他のＰＣからダウンロードしたアプリケーションソフトウェアを新規にインストールする場合、操作者は、マウスやキーボード等の情報入力装置８を操作し、新規にアプリケーションソフトウェアをインストールするための情報を入力し、インストールの開始を宣言する。
【００３４】
ここで、図３は、インストールの開始が宣言された場合に、ＨＤＤ６に格納された機能拡張プログラムに基づいてＣＰＵ３が実行する機能拡張処理を概略的に説明するフローチャートである。ＣＰＵ３は、インストールの開始が宣言されると、指定された新規のアプリケーションソフトウェアのインストールを実行する（Ｓ１）。ここに、インストール機能が実現される。
【００３５】
次に、表示装置９の表示面に、図４に示すような、設定画面３０を表示させる（Ｓ２）。設定画面３０には、図４に示すように、選択可能な機能の一覧を示す機能一覧ボックス３１、機能一覧ボックス３１で指定された機能の詳細を示すモジュール一覧ボックス３２が表示されている。
【００３６】
操作者は、情報入力装置８によって、機能一覧ボックス３１から目的とする機能を選択し、それに応じて表示されるモジュール一覧ボックス３２から目的とする機能モジュールを指定する。図４では、変換機能が選択され、変換機能を実現する機能モジュールとしてＯＣＲ変換が指定されている状態を示している。この状態で、設定画面３０の中央に表示された「追加」キー３３を操作すると、操作された機能モジュールが、設定画面３０中右側の選択ボックス３４に追加される。本実施の形態では、インストールするアプリケーションソフトウェアにＯＣＲ変換の機能モジュールが選択ボックス３４に追加された状態を示している。選択ボックス３４に示されている機能モジュールは、選択ボックス３４中の一の機能モジュールを指定して、設定画面３０の中央に表示された「削除」キー３５を操作することにより選択ボックス３４から削除することができる。操作者は、目的のモジュールを指定し、選択ボックス３４に列挙した状態で設定画面３０の右下に表示された「設定」キー３６を操作する。なお、設定を中断したい場合には、設定画面３０中「設定」キー３６の隣りに表示された「キャンセル」キー３７を操作する。
【００３７】
設定画面３０中の「設定」キー３６が操作されると（Ｓ３のＹ）、設定画面３０中で選択された機能モジュールをインストールしたアプリケーションソフトウェアの拡張機能として管理モジュール２６によって該アプリケーションソフトウェアに対応付け、対応付けた機能モジュールを機能設定格納モジュール２５によって格納する。ここに、選択機能およびモジュール設定機能が実現される。
【００３８】
これにより、インストールされたアプリケーションソフトウェアを起動すると、このアプリケーションソフトウェアに対応付けて拡張設定された機能モジュールが反映され実行が可能な状態となる。
【００３９】
本実施の形態によれば、アプリケーションソフトウェアのインストールに際して、アプリケーションソフトウェアのインストールに併せて、該アプリケーションソフトウェアに対応付けた一以上の機能モジュールを選択的に設定することができるので、アプリケーションソフトウェアのインストール時に拡張機能を設定することができる。
【００４０】
これによって、従来のように、アプリケーションソフトウェアをインストールした後に、機能設定箇所から拡張機能の設定を行なう場合と比較して、インストールしたアプリケーションソフトウェアの拡張機能の設定作業を容易化することができる。
【００４１】
次に、本発明の第２の実施の形態について図５を参照して説明する。なお、第１の実施の形態と同一部分は同一符号で示し、説明も省略する。
【００４２】
図５は、本実施の形態のＰＣ１において拡張機能が設定されたアプリケーションソフトウェアの起動に際して、ＨＤＤ６に格納された機能拡張プログラムに基づいてＣＰＵ３が実行する機能拡張処理を概略的に説明するフローチャートである。本実施の形態の機能拡張処理は、操作者による情報入力装置８の操作によって、既にインストールされているアプリケーションソフトウェアの起動が宣言された場合に実行される。
【００４３】
ＣＰＵ３は、既にインストールされているアプリケーションソフトウェアの起動が宣言されると、該当するアプリケーションソフトウェアを起動させる（Ｓ１０）。
【００４４】
機能設定格納モジュール２５によって、起動したアプリケーションソフトウェアに対応付けて格納されている機能モジュールを検索し（Ｓ１１）、検索した機能モジュールに基づいて、図６に示すような設定画面３０’を表示させる（Ｓ１２）。設定画面３０’には、図４に示す設定画面３０と同様に、機能一覧ボックス３１、モジュール一覧ボックス３２、選択ボックス３４等が表示されている。
【００４５】
消去したい機能モジュールがある場合、操作者は、情報入力装置８の操作によって、機能一覧ボックス３１から消去したい機能モジュールを含む機能を呼び出す。図６では、消去したい機能モジュールを含む機能として変換機能が呼び出されている状態を示している。
【００４６】
機能一覧ボックス３１から消去したい機能モジュールを含む機能を呼び出すと、選択ボックス３４には、起動したアプリケーションソフトウェアに既に設定されている拡張機能モジュールが表示される。図６では、変換機能を実現する機能モジュールとして画像変換およびＯＣＲ変換が表示されている。
【００４７】
操作者は、情報入力装置８の操作によって、選択ボックス３４から消去したい機能モジュールを指定して、設定画面３０’中央に表示された「削除」キー３５を操作する。図６では、消去したい機能モジュールとして、ＯＣＲ変換が指定された状態を示しており、この状態で「削除」キー３５が操作されることにより消去したい機能モジュールとしてＯＣＲ変換の機能が選択ボックス３４から削除される。削除された機能モジュールは、モジュール一覧ボックス３２に表示される。これにより、一旦削除した機能モジュールを再度設定することができる。
【００４８】
一方、追加したい機能モジュールがある場合、第１の実施の形態と同様に、操作者は、機能一覧ボックス３１から目的とする機能を選択し、それに応じて表示されるモジュール一覧ボックス３２から新たに追加する機能モジュールを指定して、設定画面３０’中央に表示された「追加」キー３３を操作する。これにより、操作された機能モジュールが、選択ボックス３４に追加される。そして、目的の機能モジュールを追加／削除した状態で設定画面３０’の右下に表示された「設定」キー３６を操作する。
【００４９】
設定画面３０’中の「設定」キー３６が操作されると（Ｓ１３のＹ）、設定画面３０’中での追加／削除により変更されて、新たに設定された機能モジュールを、対応するアプリケーションソフトウェアの拡張機能として管理モジュール２６によって機能設定格納モジュール２５に格納された機能モジュールの追加／削除を行ない、機能設定格納モジュール２５における設定を変更する。
【００５０】
これにより、アプリケーションソフトウェアを起動する毎に、該アプリケーションソフトウェアに対応付けられる機能モジュールを追加／削除することができるので、アプリケーションソフトウェアに対応付けて機能モジュールを設定した場合にも、例えば、使用状況や目的とする機能等に応じて、適宜変更することができる。
【００５１】
次に、本発明の第３の実施の形態について図７を参照して説明する。
【００５２】
特に図示しないが、本実施の形態のＰＣ１は、機能モジュールを目的毎に分類した分類パターン単位で記憶する分類機能を実現する分類モジュールを備えている。この分類モジュールにおける目的、および、目的に応じた機能モジュールの分類パターンは、マウスやキーボード等の情報入力装置の操作により、操作者が任意に設定することができる。目的としては、例えば、文書ファイルを入力する入力目的、文書ファイルを出力する出力目的等を設定することができる。
【００５３】
特に図示しないが、情報入力装置８の操作によって新規アプリケーションソフトウェアのインストール開始またはアプリケーションソフトウェアの起動が宣言された場合、ＣＰＵ３は、インストールまたは起動に応じて設定画面３０”を表示させる。設定画面３０”には、図７に示すように、選択可能な機能の一覧を示す機能一覧ボックス３１、選択された機能を示す選択ボックス３４が表示されている。
【００５４】
操作者は、マウス等によって、機能一覧ボックス３１から目的とする機能を指定した状態で、設定画面３０”中央の「追加」キー３３を操作する。これにより、機能毎に分類された複数個の機能モジュールを含む機能が、設定画面３０”中右側の選択ボックス３４に追加される。図７では、変換機能が選択されており、変換機能を実現する機能モジュールとしては、画像変換、ＯＣＲ変換、ＰＤＦ変換がある。また、選択ボックス３４に示されている機能モジュールは、機能一覧ボックス３１から削除したい機能を指定した状態で設定画面３０”中央の「削除」キー３５を操作することにより、分類パターン単位で選択ボックス３４から削除することができる。操作者は、目的のモジュールを指定し、選択ボックスに列挙した状態で設定画面右下の「設定」を操作する。
【００５５】
これによって、機能モジュールを目的に応じて分類した分類パターン単位で設定することができるので、拡張機能の設定作業をより容易化することができる。
【００５６】
【発明の効果】
請求項１記載の発明の機能拡張プログラムによれば、アプリケーションソフトウェアのインストールに際しては、アプリケーションソフトウェアのインストールに併せて、該アプリケーションソフトウェアに対応付けた一以上の機能モジュールを選択的に設定することができるので、アプリケーションソフトウェアのインストール時に拡張機能を設定することができ、従来のように、アプリケーションソフトウェアをインストールした後に拡張機能設定を行なう場合と比較して、インストールしたアプリケーションソフトウェアの拡張機能の設定作業を容易化することができる。
【００５７】
請求項２記載の発明によれば、請求項１記載の機能拡張プログラムにおいて、少なくとも、入力機能モジュール、出力機能モジュール、変換入力機能モジュール、管理機能モジュール、編集機能モジュール、判別機能モジュールから該アプリケーションソフトウェアに対応付けた一以上の機能モジュールを選択的に設定することができる。
【００５８】
請求項３記載の発明によれば、請求項１または２記載の機能拡張プログラムにおいて、アプリケーションソフトウェアを起動する毎に、該アプリケーションソフトウェアに対応付けられる機能モジュールを追加／削除することができるので、既に機能設定を行なったアプリケーションソフトウェアでも、例えば、使用状況や目的とする機能等に応じて、設定機能を適宜変更することができる。
【００５９】
請求項４記載の発明によれば、請求項１、２または３記載の機能拡張プログラムにおいて、機能モジュールを目的に応じて分類した分類パターン単位で設定することができるので、拡張機能の設定作業をより容易化することができる。
【００６０】
請求項５記載の発明の記憶媒体によれば、請求項１ないし４のいずれか一に記載の発明の効果を得ることができる。
【図面の簡単な説明】
【図１】本発明の第１の実施の形態のパーソナルコンピュータを概略的に説明するブロック図である。
【図２】ＰＣ内部の機能モジュールについて示す説明図である。
【図３】ＨＤＤに格納された機能拡張プログラムに基づいてＣＰＵが実行する機能拡張処理を概略的に説明するフローチャートである。
【図４】設定画面を示す正面図である。
【図５】本発明の第２の実施の形態のパーソナルコンピュータが備えるＨＤＤに格納された機能拡張プログラムに基づいてＣＰＵが実行する機能拡張処理を概略的に説明するフローチャートである。
【図６】設定画面を示す正面図である。
【図７】本発明の第３の実施の形態のパーソナルコンピュータが備える表示装置に表示される設定画面を示す正面図である。
【符号の説明】
１　　　文書ファイル管理装置
２　　　コンピュータ
１８　　　記憶媒体
【図１】
2004145777.tif 000003
【図２】
2004145777.tif 000004
【図３】
2004145777.tif 000005
【図４】
2004145777.tif 000006
【図５】
2004145777.tif 000007
【図６】
2004145777.tif 000008
【図７】
2004145777.tif 000009